(57)【要約】      （修正有）【課題】持ち運びが簡単で、少ない炭酸ガス量で安全に駆除できる折りたたみ式小動物収納駆除装置を提供する。【解決手段】小動物を収容する金属籠と、金属籠の中に挿入する駆除袋と、駆除袋を締め付ける紐と、小動物を窒息させるためのガス供給手段からなる小動物収納駆除装置で、入口形状と大きさがほぼ同じ小動物捕獲装置と組み合わせて現場で使用する。該金属籠は直方体とし各面の連結部と側面中央部に螺旋を使用して折りたたみ可能な構造とする。【選択図】図１
0003149508.tif 000002
【実用新案登録請求の範囲】
【請求項１】
アライグマやヌートリア等の小動物を捕獲後処分する装置において、処分する小動物を収容する金網籠と、該金網籠の中に挿入する駆除袋と、該駆除袋を中央部で締め付ける紐と、該小動物を駆除するためのガス供給手段からなる折りたたみ式小動物収納駆除装置。
【請求項２】
上記金網籠が直方体で、開口部である該金網籠の前面は上下動するスライド扉と該スライド扉をガイドするスライド枠からなり、該スライド枠の下端は該金属籠の底面金網と螺旋で連結され、該スライド枠の上端は該金属籠の上面金網に脱着可能な留め金で固定されており、該金網籠の背面は金網と該金網を囲む金網枠からなる裏蓋があり、該裏蓋の下端は該金網籠の底面金網と螺旋で連結され、該裏蓋の上端は該金属籠の上面金網に脱着可能な留め金で固定されており、該金網籠の２つの側面金網は中央で上下に２分割されお互いに螺旋で連結され、該側面金網の側面端部が該スライド枠および該裏蓋の金網枠に嵌まり込む構造の請求項１の折りたたみ式小動物収納駆除装置。
【考案の詳細な説明】
【技術分野】
【０００１】  本考案は、捕獲後の小動物処分装置に関するもので、炭酸ガスを利用して小動物を処分する装置において、持ち運びが簡単で、少ない炭酸ガス量で、安全に駆除できる装置を提供する。
【背景技術】
【０００２】  田畑を荒らし人体に危害を加えるアライグマやヌートリア等の小動物は捕獲後処分するが、処分方法には、麻酔薬等の注射・投与によるか、炭酸ガス等による窒息死の方法が単独または組み合わせた方法がとられることが多いが、どう猛な小動物は安全上からも炭酸ガスによる方法がよく取られる。小動物は捕獲後、持ち帰り小動物処分室に移した後、炭酸ガスを注入して処分することがよく行われている。
【考案の開示】
【考案が解決しようとする課題】
【０００３】  従来の炭酸ガスによる方法は、小動物処分室と炭酸ガスで置換する設備が必要である他、多量の炭酸ガスが必要である。また、炭酸ガスが多量に外部に漏れたときには作業者も危険である。さらに、小動物を捕獲装置から処分室に移すときに捕獲した小動物が逃走したり人に危害を加えたりする危険性もある。小動物を捕獲後、駆除のための金属籠を用意して現場で駆除袋に収納することがあるが、この場合は専用金属籠が必要である。また、小動物駆除装置はかさばり運搬が不便である。
【課題を解決するための手段】
【０００４】  上記の課題に鑑み、本考案者は金網籠の内部に小動物が爪で引っ掻いても破れない綿製等の帆布の駆除袋を取り付け、捕獲した小動物を駆除袋に閉じ込めて、炭酸ガスを注入して駆除する折りたたみ式小動物収納駆除装置を考案した。【０００５】  本装置は入口がほぼ同じ形状でほぼ同じ大きさの小動物捕獲装置と組み合わせて使用し、捕獲した小動物を本装置に移すときは、両装置を接近させて、お互いの入口を合わせた状態で小動物捕獲装置入口のスライド扉を開けて捕獲小動物が両装置間の移動を可能にする。その後、捕獲小動物を追い立てて本装置側に移動させ、捕獲小動物が本装置の駆除袋の奥へ移動したのを見計らい、駆除袋の中央部に巻き付けた締め付け紐を引っ張って駆除袋の奥に捕獲小動物を閉じ込める。その後、本装置の金網籠の上面金網に駆除袋を固定している固定紐を緩めて、駆除袋が重力でしぼみ袋内の空気が押し出された後、外部より炭酸ガス注入ホースを駆除袋の渋り部の穴から差込む。締め付け紐をさらに強く縛り、ホースと駆除袋の隙間を無くす。駆除袋を広げていた固定紐を緩めると駆除袋は捕獲小動物の大きさまで縮小するが、このことは、駆除袋内の空気がほとんど押し出されて無くなる状態を意味し、この状態で炭酸ガスを送り込めば内部空気により炭酸ガスが薄まることなく少量の炭酸ガスで小動物を駆除できる。【０００６】  捕獲小動物が数分後に駆除されるので、炭酸ガスの注入を停止し、炭酸ガスボンベ等の弁を閉止後、本装置から炭酸ガス注入ホースを抜きとる。このとき、注入ホース内の残留炭酸ガスと、駆除袋内の炭酸ガスが抜き取った炭酸ガスホースと駆除袋の小さな隙間から外部へ漏れるが非常に少量である。炭酸ガス注入ホースを抜き取った直後に、駆除袋中央部の締め付け紐をさらに強く締め込むことにより駆除袋内の炭酸ガスの漏れは微量である。小動物捕獲装置を移動させ、本装置の入口のスライド扉を引き抜き、入口より駆除袋ごと駆除した小動物を運び出す。駆除した小動物は駆除袋に入れたまま焼却場または埋め立て場へ運搬する。駆除袋は好ましくは外面を気密のビニールコーティング等を施したものを使用する。【０００７】  次に、本考案の金属籠の折りたたみ方を図で説明する。図６は、本考案の折りたたみ式小動物収納駆除装置の金属籠の折りたたみ方の説明図である。折りたたみ式小動物収納駆除装置１の金属籠の折りたたむ連結部は螺旋１１ａ〜１１ｅで連結されている。前面から見た左右の側面金網は中央で上下に分割され上下の金網は螺旋１１ｃで連結されている。前面のアングル材料等で製作されているスライド枠１３は下端で底面金網と螺旋１１ａで連結されている。スライド扉１２はスライド枠１３に嵌め込まれ上下にスライドできるようになっている。図６のように、小動物収納駆除装置１を組み立てた状態では、スライド枠１３は２つの側面金網の側面端部に嵌り込み側面中央部の螺旋１１ｃ連結部で折れ曲がらないように固定している。スライド枠１３は、螺旋１１ａを支点に外側へ開かないように上端は２箇所留め金１５ａで上面金網にネジ止めされている。金属籠の背面のアングル等で製作されている金網枠と金網からなる裏蓋１４は下端にて底面金網と螺旋１１ｅで連結されている。裏蓋１４の���網枠は、スライド枠１３と同様に２つの側面金網の側面端部に嵌り側面中央部が螺旋１１ｃ連結部で折れ曲がらないように固定している。裏蓋１４は、下端の螺旋１１ｅを支点にして外側へ開かないように、上端は２箇所留め金１５ｂで上面金網にネジ止めされている。【０００８】図７は、本考案の折りたたみ式小動物収納駆除装置の金属籠の折りたたみ手順を示した説明斜視図である。まず、前面のスライド扉１２を上方へ引き抜き、スライド枠１３の留め金１５ａを外して図７のように螺旋１１ａを支点にスライド枠１３を外側へ折り曲げる。次に、裏蓋１４の留め金１５ｂを外して図７のように螺旋１１ｅを支点に裏蓋１４を外側へ折り曲げる。図８は、本考案の折りたたみ式小動物収納駆除装置の金属籠の折りたたみの第１段階を示した側面説明図で、スライド枠１３と、裏蓋１４を外側へ広げた状態を側面から見た図である。スライド枠１３と裏蓋１４をさらに外側へ折り曲げ、図９に示すようにほぼ水平にする。次に、両側面金網を中央の螺旋１１ｃを支点にして内側へ折り曲げると、側面金網上端の螺旋１１ｄおよび側面金網下端の螺旋１１ｂを支点に折れ曲がり、上面金網が次第に下降して、図１０のように折りたたむことができる。最後に、スライド枠１３および裏蓋１４を下端の螺旋１１ａまたは１１ｅを支点にさらに折り曲げ、下面金網に接触させて、図１１のように折りたたみは完了する。図１２は、本考案の折りたたみ式小動物収納駆除装置の金属籠の折りたたみ手順を示した正面説明図で、図１３は、本考案の折りたたみ式小動物収納駆除装置の金属籠の折りたたみ完了状態を示した正面説明図である。【０００９】  本明細書中で「小動物」の大きさや種類は、炭酸ガスを利用して処分できる小動物であれば、特に限定しない。具体的には、犬や猫などの小動物や、豚や鶏などの家畜を挙げることができるが、特にこれらに限定されない。【００１０】  本考案の装置は、入口がほぼ同じ形状の小動物捕獲装置と連動して使用できる。
【考案の効果】
【００１１】  本考案は捕獲した小動物を安全にしかも簡単に現場で駆除できる。駆除時間は１〜３分程度である。また、駆除袋は小動物を収納し、縮小させて内部空間を非常に小さくできるので必要な炭酸ガス量は少量ですむ。少量のガスで駆除できるため軽量のボンベ（たとえば２ｋｇ入り程度）を用いることができる。また、駆除袋は綿製で何回か使い回しができる。本考案は折りたたみ式なので場所を取らず移動が簡単である。駆除した小動物は、排泄した汚物と共に駆除袋内にあり、そのまま焼却処理できて、清潔で作業する者の嫌悪感を和らげる。
【考案を実施するための最良の形態】
【００１２】
【実施例】
【００１３】  本考案の実施の一例を図に基づいて説明する。図１は、本考案の折りたたみ式小動物収納駆除装置の駆除袋に小動物を閉じ込め炭酸ガスを注入している状態の斜視図である。小動物が折りたたみ式小動物収納駆除装置１（寸法、縦３８ｃｍ×横４０ｃｍ×長さ８０ｃｍ）内の駆除袋２の奥に閉じ込められ、締め付け紐３で駆除袋２の中央部が狭められその隙間より炭酸ガス注入ホース４が差し込まれて炭酸ガスが注入されている状態である。図２は、本考案に使用する駆除袋の斜視図で、折りたたみ式小動物収納駆除装置１の内部に取り付ける。この駆除袋２の四隅には固定紐２１が付けられており、駆除袋２を折りたたみ式小動物収納駆除装置１の金属籠に挿入後、固定紐２１を上面金網にくくり付け、駆除袋２をケース内面に広げて取り付ける。図３は、本考案の折りたたみ式小動物収納駆除装置１の内部に駆除袋２を取り付けた状態の斜視図である。駆除袋２を取り付け後、駆除袋２の中央部に締め付け紐３を巻き、この締め付け紐３の両端を金属籠の外に出しておく。スライド扉１２は駆除袋２を取り付けるときは外しておく。図４は、本考案の折りたたみ式小動物収納駆除装置１と小動物捕獲装置５を組み合わせた使用例の斜視図である。折りたたみ式小動物収納駆除装置１の前面と入口がほぼ同じ形状でほぼ同じ大きさの、小動物を捕獲した小動物捕獲装置５の入口を向かい合わせて両装置の隙間が十分に狭くなるように近づける。その後、小動物捕獲装置５のスライド扉１２を引き上げて小動物が両装置を行き来できるようにする。小動物捕獲装置５側より、小動物を追い立てて、折りたたみ式小動物収納駆除装置１側に移動させる。小動物が折りたたみ式小動物収納駆除装置１の駆除袋２の十分奥の方へ移動したのを見計らい、駆除袋２の中央の締め付け紐３を引っ張り駆除袋２の中央部を絞る。図５は、捕獲した小動物を本考案の折りたたみ式小動物収納駆除装置１に追い込みスライド扉１２を閉めた後、駆除袋２の中央部の締め付け紐３を締めこんだ状態の斜視図である。この後、折りたたみ式小動物収納駆除装置１のスライド扉１２をスライド枠１３に嵌め込み、小動物捕獲装置５は移動させておく。スライド扉１２の金網の間から、炭酸ガス注入ホース４を差込み、駆除袋２の中央部の絞り部の隙間を通して駆除袋２の奥まで届かせる。この状態で、駆除袋２の中央部の締め付け紐３をさらに強く締め込み、炭酸ガス注入ホース４と駆除袋２との隙間から炭酸ガスが外部へ漏れないようにする。この後、駆除袋２を折りたたみ式小動物収納駆除装置１の金属籠の上面金網に固定している固定紐２１を緩めると、駆除袋２が重力で縮小し駆除袋２内の空気が圧迫され、差し込んだ炭酸ガスホースを経由して押し出される。この状態が先に説明した図１である。その後、炭酸ガスホース４の他端を炭酸ガスボンベに接続して、元弁を開けて炭酸ガスを送り込む。１〜２分炭酸ガスを注入し小動物の動きが止まり駆除されたことを確認した後、炭酸ガスの注入を停止して炭酸ガス注入ホース４を撤去し、入口のスライド扉１２を開け、駆除袋２を固定している固定紐２１を外して小動物を駆除袋２に入れたまま取り出し、そのまま処分場へ運搬する。
【産業上の利用可能性】
【００１４】
【００１５】  田畑を荒らし人体に危害を加えるアライグマやヌートリア等の小動物の捕獲後の処分に利用することができる。
【図面の簡単な説明】
【００１６】
【図１】本考案の折りたたみ式小動物収納駆除装置の駆除袋に小動物を閉じ込め炭酸ガスを注入している状態の斜視図である。
【図２】本考案に使用する駆除袋の斜視図である。
【図３】本考案の折りたたみ式小動物収納駆除装置の内部に駆除袋を取り付けた状態の斜視図である。
【図４】本考案の折りたたみ式小動物収納駆除装置と小動物捕獲装置を組み合わせた使用例の斜視図である。
【図５】捕獲小動物を本考案の折りたたみ式小動物収納駆除装置に追い込みスライド扉を閉めた後駆除袋の中央部の紐を締めこんだ状態の斜視図である。
【図６】本考案の折りたたみ式小動物収納駆除装置の金属籠の折りたたみ方の説明図である。
【図７】本考案の折りたたみ式小動物収納駆除装置の金属籠の折りたたみ手順を示した説明斜視図である。
【図８】本考案の折りたたみ式小動物収納駆除装置の金属籠の折りたたみの第１段階を示した側面説明図である。
【図９】本考案の折りたたみ式小動物収納駆除装置の金属籠の折りたたみ手順の第１段階終了後の状態を示した側面説明図である。
【図１０】本考案の折りたたみ式小動物収納駆除装置の金属籠の折りたたみ手順の第２段階を示した側面説明図である。
【図１１】本考案の折りたたみ式小動物収納駆除装置の金属籠の折りたたみ完了状態を示した側面説明図である。
【図１２】本考案の折りたたみ式小動物収納駆除装置の金属籠の折りたたみ手順を示した正面説明図である。
【図１３】本考案の折りたたみ式小動物収納駆除装置の金属籠の折りたたみ完了状態を示した正面説明図である。
【符号の説明】
【００１７】１  折りたたみ式小動物収納駆除装置
２  駆除袋
３  締め付け紐
４  炭酸ガス注入ホース
５  小動物捕獲装置
１１ａ〜１１ｅ  螺旋
１２  スライド扉
１３  スライド枠
１４  裏蓋
１５ａ、１５ｂ  留め金
２１  固定紐
【図１】
0003149508.tif 000003
【図２】
0003149508.tif 000004
【図３】
0003149508.tif 000005
【図４】
0003149508.tif 000006
【図５】
0003149508.tif 000007
【図６】
0003149508.tif 000008
【図７】
0003149508.tif 000009
【図８】
0003149508.tif 000010
【図９】
0003149508.tif 000011
【図１０】
0003149508.tif 000012
【図１１】
0003149508.tif 000013
【図１２】
0003149508.tif 000014
【図１３】
0003149508.tif 000015